(57)【特許請求の範囲】
【請求項１】
無線周波数フロントエンドシステムであって、第１のアンテナと、第２のアンテナと、第１の無線周波数回路と、第２の無線周波数回路と、制御装置と
を備え、
前記制御装置は、前記第１の無線周波数回路によって選択された伝送周波数バンドを取得することと、前記第１の無線周波数回路によって選択された前記伝送周波数バンド内の周波数がプリセット周波数未満である場合、前記第１の無線周波数回路を前記第２のアンテナに接続するように制御することと、前記第２の無線周波数回路と前記第２のアンテナとの間の接続を接続解除するか、または前記第２の無線周波数回路と前記第２のアンテナとの間の開回路状態を維持することとを行うように構成され、
前記第１の無線周波数回路の動作回路と前記制御装置との間の接続を接続するように構成された第１のゲーティング回路をさらに備え、前記第１の無線周波数回路の前記動作回路は、前記第１の無線周波数回路によってサポートされる複数周波数バンドの１つに対応する動作回路であることを特徴とする無線周波数フロントエンドシステム。
【請求項２】
前記制御装置は、前記第１の無線周波数回路によって選択された前記伝送周波数バンド内の前記周波数が前記プリセット周波数以上である場合、前記第１の無線周波数回路を前記第１のアンテナに接続するように制御するようにさらに構成されたことを特徴とする請求項１に記載の無線周波数フロントエンドシステム。
【請求項３】
前記第２の無線周波数回路の動作回路と前記制御装置との間の接続を接続するように構成された第２のゲーティング回路
をさらに備え、
前記第２の無線周波数回路の前記動作回路は、前記第２の無線周波数回路によってサポートされる複数周波数バンドの１つに対応する動作回路であり、
前記制御装置は、具体的には、前記第１の無線周波数回路の前記動作回路に対応する周波数バンドを取得することと、前記第１の無線周波数回路の前記動作回路に対応する前記周波数バンド内の周波数が前記プリセット周波数未満である場合、前記第１の無線周波数回路の前記動作回路を前記第２のアンテナに接続するように制御することと、前記第２の無線周波数回路の前記動作回路と前記第２のアンテナとの間の接続を接続解除するか、または前記第２の無線周波数回路の前記動作回路と前記第２のアンテナとの間の開回路状態を維持することと、を行うように構成された
ことを特徴とする請求項１又は２に記載の無線周波数フロントエンドシステム。
【請求項４】
前記第１のゲーティング回路は、第１の単極多投スイッチであり、前記第１の単極多投スイッチの可動端は、前記制御装置に接続され、前記第１の単極多投スイッチのｋ個の非可動端はそれぞれ、前記第１の無線周波数回路のｋ個の動作回路に接続され、前記ｋ個の動作回路は、前記第１の無線周波数回路によってサポートされるｉ個の周波数バンドに対応する動作回路であり、ただし、ｉとｋはどちらも正の整数かつｉはｋ以上であり、ｉがｋよりも大きいとき、前記第１の無線周波数回路によってサポートされる少なくとも２つの周波数バンドは、同じ動作回路に対応しており、
前記第２のゲーティング回路は、第２の単極多投スイッチであり、前記第２の単極多投スイッチの可動端は、前記制御装置に接続され、前記第２の単極多投スイッチのｍ個の非可動端はそれぞれ、前記第２の無線周波数回路のｍ個の動作回路に接続され、前記ｍ個の動作回路は、前記第２の無線周波数回路によってサポートされるｎ個の周波数バンドに対応する動作回路であり、ただし、ｍとｎはどちらも正の整数かつｎはｍ以上であり、ｎがｍよりも大きいとき、前記第２の無線周波数回路によってサポートされる少なくとも２つの周波数バンドは、同じ動作回路に対応している
ことを特徴とする請求項３に記載の無線周波数フロントエンドシステム。
【請求項５】
前記制御装置は、第１の単極双投スイッチと、第２の単極双投スイッチと、コントローラと
を備え、
前記第１の単極双投スイッチの可動端は、前記第１の単極多投スイッチの前記可動端に接続され、前記第１の単極多投スイッチの前記ｋ個の非可動端はそれぞれ、前記第１の無線周波数回路の前記ｋ個の動作回路に接続され、前記ｋ個の動作回路は、前記第１の無線周波数回路によってサポートされる前記ｉ個の周波数バンドに対応する前記動作回路であり、ただし、ｉとｋはどちらも正の整数かつｉはｋ以上であり、ｉがｋよりも大きいとき、前記第１の無線周波数回路によってサポートされる前記少なくとも２つの周波数バンドは、前記同じ動作回路に対応しており、前記第１の単極双投スイッチの第１の非可動端は、前記第１のアンテナに接続され、前記第１の単極双投スイッチの第２の非可動端は、前記第２の単極双投スイッチの第１の非可動端に接続され、
前記第２の単極双投スイッチの可動端は、前記第２のアンテナに接続され、前記第２の単極双投スイッチの第２の非可動端は、前記第２の単極多投スイッチの前記可動端に接続され、前記第２の単極多投スイッチの前記ｍ個の非可動端はそれぞれ、前記第２の無線周波数回路の前記ｍ個の動作回路に接続され、前記ｍ個の動作回路は、前記第２の無線周波数回路によってサポートされる前記ｎ個の周波数バンドに対応する前記動作回路であり、ただし、ｍとｎはどちらも正の整数かつｎはｍ以上であり、ｎがｍよりも大きいとき、前記第２の無線周波数回路によってサポートされる前記少なくとも２つの周波数バンドは、前記同じ動作回路に対応しており、
前記コントローラは、具体的には、前記第１の無線周波数回路によって選択された前記伝送周波数バンドを取得することと、前記伝送周波数バンド内の前記周波数が前記プリセット周波数未満である場合、前記第１の単極双投スイッチの前記可動端と前記第２の非可動端とを接続することと、前記第２の単極双投スイッチの前記可動端と前記第１の非可動端とを接続することと、を行うように構成された
ことを特徴とする請求項４に記載の無線周波数フロントエンドシステム。
【請求項６】
前記コントローラは、前記伝送周波数バンド内の前記周波数が前記プリセット周波数以上である場合、前記第１の単極双投スイッチの前記可動端と前記第１の非可動端とを接続するようにさらに構成されたことを特徴とする請求項５に記載の無線周波数フロントエンドシステム。
【請求項７】
無線周波数フロントエンドシステムにおける信号伝送制御方法であって、前記無線周波数フロントエンドシステムは、第１のアンテナと、第２のアンテナと、第１の無線周波数回路と、第２の無線周波数回路と、制御装置と
を備え、
前記信号伝送制御方法が、
前記制御装置によって、前記第１の無線周波数回路によって選択された伝送周波数バンドを取得するステップと、
前記制御装置によって、前記伝送周波数バンド内の周波数がプリセット周波数未満であるかどうかを決定するステップと、前記伝送周波数バンド内の周波数がプリセット周波数未満である場合、前記第１の無線周波数回路を前記第２のアンテナに接続するように制御するステップと、前記第２の無線周波数回路と前記第２のアンテナとの間の接続を接続解除するか、または前記第２の無線周波数回路と前記第２のアンテナとの間の開回路状態を維持するステップと、
前記第１の無線周波数回路の動作回路と前記制御装置との間の接続を接続するように、第１のゲーティング回路を制御するステップをさらに備え、前記第１の無線周波数回路の前記動作回路は、前記第１の無線周波数回路によってサポートされる複数周波数バンドの１つに対応する動作回路であることを特徴とする方法。
【請求項８】
前記制御装置が、前記第１の無線周波数回路によって選択された前記伝送周波数バンド内の前記周波数が前記プリセット周波数以上であると決定した場合、前記第１の無線周波数回路を前記第１のアンテナに接続するように制御するステップ
をさらに備えたことを特徴とする請求項７に記載の方法。
【請求項９】
前記第２の無線周波数回路の動作回路と前記制御装置との間の接続を接続するように、第２のゲーティング回路を制御するステップ
をさらに備え、
前記第２の無線周波数回路の前記動作回路は、前記第２の無線周波数回路によってサポートされる複数周波数バンドの１つに対応する動作回路であることを特徴とする請求項７又は８に記載の方法。
【請求項１０】
前記第１のゲーティング回路は、第１の単極多投スイッチであり、前記第１の単極多投スイッチの可動端は、前記制御装置に接続され、前記第１の単極多投スイッチのｋ個の非可動端はそれぞれ、前記第１の無線周波数回路のｋ個の動作回路に接続され、前記ｋ個の動作回路は、前記第１の無線周波数回路によってサポートされるｉ個の周波数バンドに対応する動作回路であり、ただし、ｉとｋはどちらも正の整数かつｉはｋ以上であり、ｉがｋよりも大きいとき、前記第１の無線周波数回路によってサポートされる少なくとも２つの周波数バンドは、同じ動作回路に対応しており、
前記第２のゲーティング回路は、第２の単極多投スイッチであり、前記第２の単極多投スイッチの可動端は、前記制御装置に接続され、前記第２の単極多投スイッチのｍ個の非可動端はそれぞれ、前記第２の無線周波数回路のｍ個の動作回路に接続され、前記ｍ個の動作回路は、前記第２の無線周波数回路によってサポートされるｎ個の周波数バンドに対応する動作回路であり、ただし、ｍとｎはどちらも正の整数かつｎはｍ以上であり、ｎがｍよりも大きいとき、前記第２の無線周波数回路によってサポートされる少なくとも２つの周波数バンドは、同じ動作回路に対応していることを特徴とする請求項９に記載の方法。
【請求項１１】
前記制御装置は、第１の単極双投スイッチと、第２の単極双投スイッチと、コントローラと
を備え、
前記第１の単極双投スイッチの可動端は、前記第１の単極多投スイッチの前記可動端に接続され、前記第１の単極多投スイッチの前記ｋ個の非可動端はそれぞれ、前記第１の無線周波数回路の前記ｋ個の動作回路に接続され、前記ｋ個の動作回路は、前記第１の無線周波数回路によってサポートされる前記ｉ個の周波数バンドに対応する前記動作回路であり、ただし、ｉとｋはどちらも正の整数かつｉはｋ以上であり、ｉがｋよりも大きいとき、前記第１の無線周波数回路によってサポートされる前記少なくとも２つの周波数バンドは、前記同じ動作回路に対応しており、前記第１の単極双投スイッチの第１の非可動端は、前記第１のアンテナに接続され、前記第１の単極双投スイッチの第２の非可動端は、前記第２の単極双投スイッチの第１の非可動端に接続され、
前記第２の単極双投スイッチの可動端は、前記第２のアンテナに接続され、前記第２の単極双投スイッチの第２の非可動端は、前記第２の単極多投スイッチの前記可動端に接続され、前記第２の単極多投スイッチの前記ｍ個の非可動端はそれぞれ、前記第２の無線周波数回路の前記ｍ個の動作回路に接続され、前記ｍ個の動作回路は、前記第２の無線周波数回路によってサポートされる前記ｎ個の周波数バンドに対応する前記動作回路であり、ただし、ｍとｎはどちらも正の整数かつｎはｍ以上であり、ｎがｍよりも大きいとき、前記第２の無線周波数回路によってサポートされる前記少なくとも２つの周波数バンドは、前記同じ動作回路に対応しており、
前記制御装置は、前記伝送周波数バンド内の前記周波数が前記プリセット周波数未満であるかどうかを決定し、前記伝送周波数バンド内の前記周波数が前記プリセット周波数未満である場合、前記第１の無線周波数回路を前記第２のアンテナに接続するように制御するステップ、および前記第２の無線周波数回路と前記第２のアンテナとの間の接続を接続解除するか、または前記第２の無線周波数回路と前記第２のアンテナとの間の開回路状態を維持するステップは、具体的には、
前記伝送周波数バンド内の前記周波数が前記プリセット周波数未満である場合、前記コントローラによって、前記第１の単極双投スイッチの前記可動端と前記第２の非可動端とを接続するステップと、前記第２の単極双投スイッチの前記可動端と前記第１の非可動端とを接続するステップと
を備えたことを特徴とする請求項１０に記載の方法。
【請求項１２】
前記伝送周波数バンド内の前記周波数が前記プリセット周波数以上である場合、前記コントローラによって、前記第１の単極双投スイッチの前記可動端と前記第１の非可動端とを接続するステップ
をさらに備えたことを特徴とする請求項１１に記載の方法。
【請求項１３】
請求項１乃至６のいずれか一項に記載の無線周波数フロントエンドシステムを備えたことを特徴とするモバイル端末。
【発明の詳細な説明】
【技術分野】
【０００１】
本発明は、通信分野に関し、詳細には、無線周波数フロントエンドシステム、信号伝送制御方法、およびモバイル端末に関する。
【背景技術】
【０００２】
現在、モバイル端末のダウンロード速度（ｒａｔｅｓ）およびマルチ標準規格ローミング（ｒｏａｍｉｎｇ）に関する、絶えず増大しつつあるユーザ要求を満たすために、オペレータは、２Ｇネットワークおよび３Ｇネットワークから４Ｇ  ＬＴＥネットワークに移行するだけでなく、マルチネットワークローミングモード、ならびにＳＶＤＯ、ＳＶ−ＬＴＥ、ＳＧ−ＬＴＥなどの音声およびデータ同時処理モードの提供もしている。例えば、Ｃｈｉｎａ  Ｍｏｂｉｌｅは、複数通信標準規格および複数周波数バンドモードを提供しており、この場合、複数通信標準規格は、ＴＤ−ＬＴＥ通信標準規格、ＦＤＤ−ＬＴＥ通信標準規格、ＧＳＭ通信標準規格、ＴＤ−ＳＣＤＭＡ通信標準規格、およびＷＣＤＭＡ通信標準規格であり、いくつかのサポートされる周波数バンドは、周波数バンド１０から周波数バンド１３までである。より良好なユーザエクスペリエンスのために、Ｃｈｉｎａ  ＭｏｂｉｌｅはＳＧ−ＬＴＥという概念を提供しており、ＳＧ−ＬＴＥでは、音声サービスとデータサービスを同時に処理することができ、すなわち、音声がＧＳＭネットワークにおいて処理され、データが同時に、ＴＤ−ＳＣＤＭＡネットワークまたはＴＤ−ＬＴＥネットワークにおいて処理される。
【０００３】
音声およびデータ同時モードの場合、少なくとも２つの無線周波数回路および少なくとも２つのブロードバンド（ｂｒｏａｄｂａｎｄ）マルチバンド（ｍｕｌｔｉ−ｂａｎｄ）プライマリアンテナが必要とされる。一般に、２つのブロードバンドマルチバンドアンテナはどちらも、低周波信号と高周波信号をカバーする必要があり、そのため、２つのブロードバンドマルチバンドアンテナは、大きなスペースサイズに関する要件を有するが、それを、絶えず縮小しつつあるサイズを有するモバイル端末に対して実装することはほとんどできない。
【発明の概要】
【発明が解決しようとする課題】
【０００４】
本発明では、改善された、無線周波数フロントエンドシステム、信号伝送制御方法、およびモバイル端末を提供する。
【課題を解決するための手段】
【０００５】
本発明の実施形態によって解決すべき技術的問題は、モバイル端末のアンテナサイズが従来技術では大きなスペースを占めているという問題を解決することのできる、無線周波数フロントエンドシステムおよび信号伝送制御方法を提供することである。
【０００６】
前述の技術的問題を解決するために、本発明の実施形態は、無線周波数フロントエンドシステムであって、
第１のアンテナと、第２のアンテナと、第１の無線周波数回路と、第２の無線周波数回路と、制御装置と
を含み、
制御装置は、第１の無線周波数回路によって選択された伝送周波数バンドを取得することと、第１の無線周波数回路によって選択された伝送周波数バンド内の周波数がプリセット周波数未満である場合、第１の無線周波数回路を第２のアンテナに接続するように制御することと、第２の無線周波数回路と第２のアンテナとの間の接続を接続解除するか、または第２の無線周波数回路と第２のアンテナとの間の開回路状態を維持することとを行うように構成された、無線周波数フロントエンドシステムを提供する。
【０００７】
第１の態様の第１の可能な実装方式を参照して、第２の可能な実装方式では、制御装置は、第１の無線周波数回路によって選択された伝送周波数バンド内の周波数がプリセット周波数以上である場合、第１の無線周波数回路を第１のアンテナに接続するように制御することを行うようにさらに構成される。
【０００８】
第１の態様の第１の可能な実装方式を参照して、第２の可能な実装方式では、無線周波数フロントエンドシステムは、
第１の無線周波数回路の動作回路と制御装置との間の接続を接続するように構成された第１のゲーティング回路と、
第２の無線周波数回路の動作回路と制御装置との間の接続を接続するように構成された第２のゲーティング回路と
をさらに含み、
第１の無線周波数回路の動作回路は、第１の無線周波数回路によってサポートされる複数周波数バンドの１つに対応する動作回路であり、第２の無線周波数回路の動作回路は、第２の無線周波数回路によってサポートされる複数周波数バンドの１つに対応する動作回路であり、
制御装置は、具体的には、第１の無線周波数回路の動作回路に対応する周波数バンドを取得することと、第１の無線周波数回路の動作回路に対応する周波数バンド内の周波数がプリセット周波数未満である場合、第１の無線周波数回路の動作回路を第２のアンテナに接続するように制御することと、第２の無線周波数回路の動作回路と第２のアンテナとの間の接続を接続解除するか、または第２の無線周波数回路の動作回路と第２のアンテナとの間の開回路状態を維持することとを行うように構成される。
【０００９】
第１の態様の第２の可能な実装方式を参照して、第３の可能な実装方式では、第１のゲーティング回路は、第１の単極多投スイッチであり、第１の単極多投スイッチの可動端は、制御装置に接続され、第１の単極多投スイッチのｋ個の非可動端はそれぞれ、第１の無線周波数回路のｋ個の動作回路に接続され、ｋ個の動作回路は、第１の無線周波数回路によってサポートされるｉ個の周波数バンドに対応する動作回路であり、ただし、ｉとｋはどちらも正の整数かつｉはｋ以上であり、ｉがｋよりも大きいとき、第１の無線周波数回路によってサポートされる少なくとも２つの周波数バンドは、同じ動作回路に対応しており、
第２のゲーティング回路は、第２の単極多投スイッチであり、第２の単極多投スイッチの可動端は、制御装置に接続され、第２の単極多投スイッチのｍ個の非可動端はそれぞれ、第２の無線周波数回路のｍ個の動作回路に接続され、ｍ個の動作回路は、第２の無線周波数回路によってサポートされるｎ個の周波数バンドに対応する動作回路であり、ただし、ｍとｎはどちらも正の整数かつｎはｍ以上であり、ｎがｍよりも大きいとき、第２の無線周波数回路によってサポートされる少なくとも２つの周波数バンドは、同じ動作回路に対応している。
【００１０】
第１の態様の第３の可能な実装方式を参照して、第４の可能な実装方式では、制御装置は、第１の単極双投スイッチと、第２の単極双投スイッチと、コントローラとを含み、
第１の単極双投スイッチの可動端は、第１の単極多投スイッチの可動端に接続され、第１の単極多投スイッチのｋ個の非可動端はそれぞれ、第１の無線周波数回路のｋ個の動作回路に接続され、ｋ個の動作回路は、第１の無線周波数回路によってサポートされるｉ個の周波数バンドに対応する動作回路であり、ただし、ｉとｋはどちらも正の整数かつｉはｋ以上であり、ｉがｋよりも大きいとき、第１の無線周波数回路によってサポートされる少なくとも２つの周波数バンドは、同じ動作回路に対応しており、第１の単極双投スイッチの第１の非可動端は、第１のアンテナに接続され、第１の単極双投スイッチの第２の非可動端は、第２の単極双投スイッチの第１の非可動端に接続され、
第２の単極双投スイッチの可動端は、第２のアンテナに接続され、第２の単極双投スイッチの第２の非可動端は、第２の単極多投スイッチの可動端に接続され、第２の単極多投スイッチのｍ個の非可動端はそれぞれ、第２の無線周波数回路のｍ個の動作回路に接続され、ｍ個の動作回路は、第２の無線周波数回路によってサポートされるｎ個の周波数バンドに対応する動作回路であり、ただし、ｍとｎはどちらも正の整数かつｎはｍ以上であり、ｎがｍよりも大きいとき、第２の無線周波数回路によってサポートされる少なくとも２つの周波数バンドは、同じ動作回路に対応しており、
コントローラは、具体的には、第１の無線周波数回路によって選択された伝送周波数バンドを取得することと、伝送周波数バンド内の周波数がプリセット周波数未満である場合、第１の単極双投スイッチの可動端と第２の非可動端とを接続することと、第２の単極双投スイッチの可動端と第１の非可動端とを接続することとを行うように構成される。
【００１１】
第１の態様の第４の可能な実装方式を参照して、第５の可能な実装方式では、コントローラは、伝送周波数バンド内の周波数がプリセット周波数以上である場合、第１の単極双投スイッチの可動端と第１の非可動端とを接続することを行うようにさらに構成される。
【００１２】
本発明の実施形態の第２の態様は、無線周波数フロントエンドシステムにおける信号伝送制御方法であって、無線周波数フロントエンドシステムは、第１のアンテナと、第２のアンテナと、第１の無線周波数回路と、第２の無線周波数回路と、制御装置とを含み、
信号伝送制御方法が、
制御装置によって、第１の無線周波数回路によって選択された伝送周波数バンドを取得することと、
制御装置によって、伝送周波数バンド内の周波数がプリセット周波数未満であるかどうかを決定することと、はいの場合、第１の無線周波数回路を第２のアンテナに接続するように制御することと、第２の無線周波数回路と第２のアンテナとの間の接続を接続解除するか、または第２の無線周波数回路と第２のアンテナとの間の開回路状態を維持することと
を含む方法を提供する。
【００１３】
第２の態様を参照して、第１の可能な実装方式では、信号伝送制御方法は、
制御装置が、第１の無線周波数回路によって選択された伝送周波数バンドがプリセット周波数以上であると決定した場合、第１の無線周波数回路を第１のアンテナに接続するように制御すること
をさらに含む。
【００１４】
第２の態様を参照して、第２の可能な実装方式では、信号伝送制御方法は、
第１の無線周波数回路の動作回路と制御装置との間の接続を接続するように、第１のゲーティング回路を制御することと、
第２の無線周波数回路の動作回路と制御装置との間の接続を接続するように、第２のゲーティング回路を制御することと
をさらに含み、
第１の無線周波数回路の動作回路は、第１の無線周波数回路によってサポートされる複数周波数バンドの１つに対応する動作回路であり、第２の無線周波数回路の動作回路は、第２の無線周波数回路によってサポートされる複数周波数バンドの１つに対応する動作回路である。
【００１５】
第２の態様の第２の可能な実装方式を参照して、第３の可能な実装方式では、第１のゲーティング回路は、第１の単極多投スイッチであり、第１の単極多投スイッチの可動端は、制御装置に接続され、第１の単極多投スイッチのｋ個の非可動端はそれぞれ、第１の無線周波数回路のｋ個の動作回路に接続され、ｋ個の動作回路は、第１の無線周波数回路によってサポートされるｉ個の周波数バンドに対応する動作回路であり、ただし、ｉとｋはどちらも正の整数かつｉはｋ以上であり、ｉがｋよりも大きいとき、第１の無線周波数回路によってサポートされる少なくとも２つの周波数バンドは、同じ動作回路に対応しており、
第２のゲーティング回路は、第２の単極多投スイッチであり、第２の単極多投スイッチの可動端は、制御装置に接続され、第２の単極多投スイッチのｍ個の非可動端はそれぞれ、第２の無線周波数回路のｍ個の動作回路に接続され、ｍ個の動作回路は、第２の無線周波数回路によってサポートされるｎ個の周波数バンドに対応する動作回路であり、ただし、ｍとｎはどちらも正の整数かつｎはｍ以上であり、ｎがｍよりも大きいとき、第２の無線周波数回路によってサポートされる少なくとも２つの周波数バンドは、同じ動作回路に対応している。
【００１６】
第２の態様の第３の可能な実装方式を参照して、第４の可能な実装方式では、制御装置は、第１の単極双投スイッチと、第２の単極双投スイッチと、コントローラとを含み、
第１の単極双投スイッチの可動端は、第１の単極多投スイッチの可動端に接続され、第１の単極多投スイッチのｋ個の非可動端はそれぞれ、第１の無線周波数回路のｋ個の動作回路に接続され、ｋ個の動作回路は、第１の無線周波数回路によってサポートされるｉ個の周波数バンドに対応する動作回路であり、ただし、ｉとｋはどちらも正の整数かつｉはｋ以上であり、ｉがｋよりも大きいとき、第１の無線周波数回路によってサポートされる少なくとも２つの周波数バンドは、同じ動作回路に対応しており、第１の単極双投スイッチの第１の非可動端は、第１のアンテナに接続され、第１の単極双投スイッチの第２の非可動端は、第２の単極双投スイッチの第１の非可動端に接続され、
第２の単極双投スイッチの可動端は、第２のアンテナに接続され、第２の単極双投スイッチの第２の非可動端は、第２の単極多投スイッチの可動端に接続され、第２の単極多投スイッチのｍ個の非可動端はそれぞれ、第２の無線周波数回路のｍ個の動作回路に接続され、ｍ個の動作回路は、第２の無線周波数回路によってサポートされるｎ個の周波数バンドに対応する動作回路であり、ただし、ｍとｎはどちらも正の整数かつｎはｍ以上であり、ｎがｍよりも大きいとき、第２の無線周波数回路によってサポートされる少なくとも２つの周波数バンドは、同じ動作回路に対応しており、
制御装置は、伝送周波数バンド内の周波数がプリセット周波数未満であるかどうかを決定し、はいの場合、第１の無線周波数回路を第２のアンテナに接続するように制御するステップ、および第２の無線周波数回路と第２のアンテナとの間の接続を接続解除するか、または第２の無線周波数回路と第２のアンテナとの間の開回路状態を維持するステップは、具体的には、
伝送周波数バンドがプリセット周波数未満である場合、コントローラによって、第１の単極双投スイッチの可動端と第２の非可動端とを接続することと、第２の単極双投スイッチの可動端と第１の非可動端とを接続することと
を含む。
【００１７】
第４の可能な実装方式を参照して、第５の可能な実装方式では、信号伝送制御方法は、
伝送周波数バンド内の周波数がプリセット周波数以上である場合、コントローラによって、第１の単極双投スイッチの可動端と第１の非可動端とを接続すること
をさらに含む。
【００１８】
本発明の実施形態の第３の態様は、前述の無線周波数フロントエンドシステムのいずれか１つを含むモバイル端末を提供する。
【００１９】
以下の有益な効果が、本発明の実施形態を実装することによってもたらされる。
【００２０】
第１の無線周波数回路によって選択された伝送周波数バンドが取得され、第１の無線周波数回路によって選択された伝送周波数バンド内の周波数がプリセット周波数未満である場合、第２のアンテナを使用して目的信号が伝送され、かつ第２の無線周波数回路は、伝送を実施しないようにされ、無線周波数フロントエンドシステムの第１のアンテナは、高周波信号を伝送することのみを担当し、それにより、第１のアンテナのサイズを効果的に低減させることができ、したがって、デュアルアンテナ端末のアンテナサイズに関する要件が低減される。
【図面の簡単な説明】
【００２１】
本発明の実施形態における、または従来技術における、技術的解決策についてより明確に説明するために、以下は、実施形態または従来技術について説明するために必要な添付の図面を簡単に紹介している。明らかに、以下の説明における添付の図面は、本発明の一部の実施形態しか示していないが、それでも当業者なら、創造的な努力なしでこれらの添付の図面から他の図面を導出する。
【図１】本発明の第１の実施形態による無線周波数フロントエンドシステムの概略構造図である。
【図２】本発明の第２の実施形態による無線周波数フロントエンドシステムの概略構造図である。
【図３】本発明の第３の実施形態による無線周波数フロントエンドシステムの概略構造図である。
【図４】本発明の第４の実施形態による無線周波数フロントエンドシステムの概略構造図である。
【図５】本発明の第１の実施形態による無線周波数フロントエンドシステムにおける信号伝送制御方法の概略流れ図である。
【図６】本発明の第２の実施形態による無線周波数フロントエンドシステムにおける信号伝送制御方法の概略流れ図である。
【発明を実施するための形態】
【００２２】
以下は、本発明の実施形態における技術的解決策について、本発明の実施形態における添付の図面を参照して明確かつ完全に説明している。明らかに、説明される実施形態は、本発明の実施形態の全てではなく一部でしかない。当業者によって本発明の実施形態に基づいて創造的な努力なしで取得される他の全ての実施形態は、本発明の保護範囲内に含まれるものとする。
【００２３】
本発明の以下の実施形態において提供される無線周波数フロントエンドシステムおよび信号伝送方法は、複数通信標準規格および複数周波数バンド、例えば、発展型ユニバーサルモバイルテレコミュニケーションシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略してＵＭＴＳ）地上通信標準規格（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｔｅｒｒｉｔｏｒｉａｌ  Ｒａｄｉｏ  Ａｃｃｅｓｓ  Ｎｅｔｗｏｒｋ、略してＥ−ＵＴＲＡＮ）、ＵＭＴＳ地上通信標準規格（ＵＭＴＳ  Ｔｅｒｒｉｔｏｒｉａｌ  Ｒａｄｉｏ  Ａｃｃｅｓｓ  Ｎｅｔｗｏｒｋ、略してＵＴＲＡＮ）、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、略してＧＳＭ：登録商標）／エンハンストデータレートフォーＧＳＭエボリューション（Ｅｎｈａｎｃｅｄ  Ｄａｔａ  ｒａｔｅ  ｆｏｒ  ＧＳＭ  Ｅｖｏｌｕｔｉｏｎ、略してＥＤＧＥ）通信標準規格（ＧＳＭ  ＥＤＧＥ  Ｒａｄｉｏ  Ａｃｃｅｓｓ  Ｎｅｔｗｏｒｋ、略してＧＥＲＡＮ）、および非第３世代パートナープロジェクト（ｔｈｅ  ３ｒｄ  Ｇｅｎｅｒａｔｉｏｎ  Ｐａｒｔｎｅｒ  Ｐｒｏｊｅｃｔ、略して３ＧＰＰ）通信標準規格をサポートする端末に適用可能である。
【００２４】
本発明の第１の実施形態による無線周波数フロントエンドシステムの概略構造図である、図１を参照されたい。この実施形態では、無線周波数フロントエンドシステムは、第１のアンテナ１１と、第２のアンテナ１２と、制御装置１３と、第１の無線周波数回路１４と、第２の無線周波数回路１５とを含む。
【００２５】
第１の無線周波数回路１４と第２の無線周波数回路１５はどちらも、ベースバンド信号を、アンテナを使用して伝送するために高周波数搬送波に変調し、アンテナを使用して受信された高周波信号を、ベースバンド信号に復調するように構成される。第１の無線周波数回路１４は、複数通信標準規格および複数周波数バンドをサポートし、周波数分割複信ＦＤＤ（Ｆｒｅｑｕｅｎｃｙ  Ｄｉｖｉｓｉｏｎ  Ｄｕｐｌｅｘ）または時分割複信ＴＤＤ（Ｔｉｍｅ  Ｄｉｖｉｓｉｏｎ  Ｄｕｐｌｅｘ）を使用して、信号を送信および受信する。第２の無線周波数回路１５も、複数通信標準規格および複数周波数バンドをサポートし、周波数分割複信または時分割複信を使用して、信号を送信および受信する。例えば、第１の無線周波数回路１４は、ＧＳＭ通信標準規格（周波数バンド番号：Ｂ２／Ｂ３／Ｂ５／Ｂ８）、ＵＭＴＳ通信標準規格（周波数バンド番号：Ｂ１／Ｂ２／Ｂ５）、ＴＤ−ＬＴＥ通信標準規格（周波数バンド番号：Ｂ３８／Ｂ３９／Ｂ４０／Ｂ４１）、ＦＤ−ＬＴＥモード（周波数バンド番号：Ｂ３／Ｂ７）、およびＴＤＳ通信標準規格（周波数バンド番号：Ｂ３４／Ｂ３９）をサポートする。第２の無線周波数回路１４も、前述の通信標準規格および周波数バンドをサポートする。周波数バンド番号に対応するアップリンク周波数バンドおよびダウンリンク周波数バンドは、３ＧＰＰ  ＴＳ３６．１０１およびＴＳ２５．１０１から照会される。例えば、ＵＭＴＳ  Ｂ１は、周波数分割複信モード内であり、アップリンク周波数バンドは１９２０ＭＨｚないし１９８０ＭＨｚであり、ＴＤＳ  Ｂ３４は、時分割複信モード内であり、アップリンク周波数バンドとダウンリンク周波数バンドは同じ２０１０ＭＨｚないし２０２５ＭＨｚであり、ＧＳＭ  Ｂ２は、周波数分割複信モード内であり、アップリンク周波数バンドは１８５０ないし１９１０ＭＨｚ、ダウンリンク周波数バンドは１９３０ＭＨｚないし１９９０ＭＨｚである。別の周波数バンド番号に対応する周波数バンドについては、本明細書では改めて説明されない。
【００２６】
第１のアンテナ１１と第２のアンテナ１２はどちらも、高周波信号を受信または送信するように構成される。
【００２７】
制御装置１３は、第１の無線周波数回路１４によって選択された伝送周波数バンドを取得し、第１の無線周波数回路１４によって選択された伝送周波数バンド内の周波数がプリセット周波数未満である場合、第１の無線周波数回路を第２のアンテナに接続するように制御し、および第２の無線周波数回路と第２のアンテナとの間の接続を接続解除するか、または第２の無線周波数回路と第２のアンテナとの間の開回路状態を維持する。
【００２８】
具体的には、制御装置１３は、第１の無線周波数回路１４によって選択された伝送周波数バンドを取得し、第１の無線周波数回路１４によって選択された伝送周波数バンド内の周波数の値をプリセット周波数の値と比較する。比較方法は、第１の無線周波数回路１４によって選択された伝送周波数バンドの周波数範囲を決定し、周波数バンド範囲から無作為に選択された各周波数がプリセット周波数未満である場合は、第１の無線周波数回路１４によって選択された伝送周波数バンド内の周波数がプリセット周波数未満であると決定し、周波数範囲から無作為に選択された周波数がプリセット周波数以上である場合は、第１の無線周波数回路１４によって選択された伝送周波数バンド内の周波数がプリセット周波数よりも大きいと決定することである。プリセット周波数が９００ＭＨｚに設定され、制御装置１３が、第１の無線周波数回路１４によって選択された伝送周波数バンドが８３０ＭＨｚないし８４０ＭＨｚ（Ｂ５のアップリンク周波数バンド）であることを取得し、次いで、第１の無線周波数回路１４によって選択された伝送周波数バンド内の周波数がプリセット周波数未満であると決定する、と仮定される。制御装置１３は、第１の無線周波数回路１４を第２のアンテナ１２に接続するように制御し、および第２の無線周波数回路１５と第２のアンテナ１２との間の接続を接続解除するか、または第２の無線周波数回路１４と第２のアンテナ１２との間の開回路状態を維持する。
【００２９】
任意選択で、制御装置１３は、第１の無線周波数回路によって選択された伝送周波数バンド内の周波数がプリセット周波数以上である場合、第１の無線周波数回路を第１のアンテナに接続するように制御することを行うようにさらに構成される。
【００３０】
無線周波数回路（第１の無線周波数回路または第２の無線周波数回路）とアンテナ（第１のアンテナまたは第２のアンテナ）との間の接続または接続解除は、信号伝送のためのものであると理解することができ、無線周波数回路がアンテナに接続される場合、それは、無線周波数回路がアンテナを使用して信号を伝送できることを示しており、無線周波数回路がアンテナから接続解除される場合、それは、無線周波数回路がアンテナを使用して信号を送信および受信できないことを示している。本明細書で説明される接続は、必ずしも物理的接続とは限らず、物理的接続解除でもあり、信号は結合方式で伝送され、この方式もまた、本発明で言及される接続である。
【００３１】
本発明のこの実施形態を実装することによって、制御装置は、第１の無線周波数回路によって選択された伝送周波数バンドを取得し、第１の無線周波数回路によって選択された伝送周波数バンド内の周波数がプリセット周波数未満である場合、第２のアンテナを使用して信号を伝送し、かつ第２の無線周波数回路が伝送を実施しないようにし、無線周波数フロントエンドシステムの第１のアンテナは、高周波数バンド内の信号を伝送することのみを担当し、それにより、第１のアンテナのサイズを効果的に低減させることができ、したがって、デュアルアンテナ端末のアンテナサイズに関する要件が低減される。
【００３２】
本発明の第２の実施形態による無線周波数フロントエンドシステムの概略構造図である、図２を参照されたい。本発明では、第１のアンテナ１１、第２のアンテナ１２、制御装置１３、第１の無線周波数回路１４、および第２の無線周波数回路１５に加えて、無線周波数フロントエンドシステムは、第１のゲーティング回路１６と第２のゲーティング回路１７とをさらに含み、この場合、第１のゲーティング回路１６は、制御装置１３と第１の無線周波数回路１４との間に配設され、第１の無線周波数回路１４の動作回路と制御装置１３との間の接続を接続するように構成され、第２のゲーティング回路１７は、制御装置１３と第２の無線周波数回路１５との間に配設され、第２の無線周波数回路１５の動作回路と制御装置１３との間の接続を接続するように構成され、第１の無線周波数回路１４の動作回路は、第１の無線周波数回路１４によってサポートされる複数周波数バンドの１つに対応する動作回路であり、各動作回路は、第１の無線周波数回路によってサポートされる複数周波数バンド内の１または複数の信号を処理し、第２の無線周波数回路１５の動作回路は、第２の無線周波数回路１５によってサポートされる複数周波数バンドの１つに対応する動作回路であり、各動作回路は、第２の無線周波数回路によってサポートされる複数周波数バンドの１または複数の周波数バンド内の信号を処理するように構成される。
【００３３】
例えば、第１の無線周波数回路によってサポートされる通信標準規格および周波数バンドは、ＧＳＭ（Ｂ２／Ｂ８）、ＵＴＭＳ（Ｂ５）、ＦＤ−ＬＴＥ（Ｂ３／Ｂ７）、ＴＤ−ＬＴＥ（Ｂ３８／Ｂ４０／Ｂ４１）、およびＴＤＳ（Ｂ３４／Ｂ３９）であり、第１の無線周波数回路は、動作回路１、動作回路２、動作回路３、および動作回路４の４つの動作回路を含み、この場合、動作回路１は、ＧＳＭ（Ｂ２／Ｂ８）周波数バンド内の信号を処理し、動作回路２は、ＵＴＭＳ（Ｂ５）周波数バンド内の信号を処理し、動作回路３は、ＴＤ−ＬＴＥ（Ｂ３８／Ｂ４０／Ｂ４１）周波数バンド内の信号を処理し、動作回路４は、ＴＤＳ（Ｂ３４／Ｂ３９）周波数バンド内の信号を処理し、第１の無線周波数回路が、Ｂ１周波数バンド内の信号を伝送することを選択する場合、第１のゲーティング回路１６は、第１の無線周波数回路１４の動作回路のうちの動作回路１と制御装置１３との間の接続を接続する。第２のゲーティング回路の動作プロセスは、第１のゲーティング回路のそれと同じであり、詳細について本明細書では改めて説明されない。
【００３４】
好ましくは、第１のゲーティング回路１６は、第１の単極多投スイッチであり、第２のゲーティング回路１７は、第２の単極多投スイッチであり、第１の単極多投スイッチの可動端は、第１の無線周波数回路１４内の対応する動作回路に接続され、第１の単極多投スイッチの非可動端は、制御装置１３に接続され、第１の単極多投スイッチは、第１の無線周波数回路１４の動作回路と制御装置１３とを、スイッチブレードを使用して接続し、第２の単極多投スイッチの可動端は、第２の無線周波数回路１５の対応する動作回路に接続され、第２の単極多投スイッチの非可動端は、制御装置１３に接続され、第２の単極多投スイッチは、第２の無線周波数回路１４の動作回路と制御装置１３とを、スイッチブレードを使用して接続する。
【００３５】
本発明の第３の実施形態による無線周波数フロントエンドシステムの概略構造図である、図３を参照されたい。本発明のこの実施形態では、無線周波数フロントエンドシステムは、第１のアンテナ１１と、第２のアンテナ１２と、制御装置１３と、第１の無線周波数回路１４と、第２の無線周波数回路１５と、第１のゲーティング回路１６と、第２のゲーティング回路１７とを含む。図３では、第１のゲーティング回路１６と第２のゲーティング回路１７はどちらも、例として単極４投スイッチを使用しており、第１の無線周波数回路１４は、動作回路１４１と、動作回路１４２と、動作回路１４３と、動作回路１４４とを含み、第２の無線周波数回路１５は、動作回路１５１と、動作回路１５２と、動作回路１５３と、動作回路１５４とを含む。制御装置１３は、コントローラ１３１と、第１の単極双投スイッチ１３３と、第２の単極双投スイッチとを含む。
【００３６】
前述の部分間の接続関係は次のようである。第１の単極双投スイッチ１３３の可動端は、第１の単極多投スイッチ１６の可動端に接続され、第１の単極多投スイッチ１６の４つの非可動端はそれぞれ、第１の無線周波数回路１４の４つの動作回路に接続され、第１の単極双投スイッチ１３３の第１の非可動端は、第１のアンテナ１１に接続され、第１の単極双投スイッチ１３３の第２の非可動端は、第２の単極双投スイッチ１３２の第１の非可動端に接続され、第２の単極双投スイッチ１３２の可動端は、第２のアンテナ１２に接続され、第２の単極双投スイッチ１３２の第２の非可動端は、第２の単極多投スイッチ１７の可動端に接続され、第２の単極多投スイッチ１７の４つの非可動端はそれぞれ、第２の無線周波数回路１５の４つの動作回路に接続され、コントローラ１３１は、第１の単極双投スイッチ１３１と、第２の単極双投スイッチ１３２と、第１の単極多投スイッチ１６と、第２の単極多投スイッチ１７とに個別に接続される。
【００３７】
コントローラ１３１は、第１の無線周波数回路１４によって選択された伝送周波数バンドを取得し、伝送周波数バンド内の周波数がプリセット周波数未満である場合、第１の単極双投スイッチ１３３の可動端と第２の非可動端とを接続し、かつ第２の単極双投スイッチ１３２の可動端と第１の非可動端とを接続する。
【００３８】
例えば、本発明の実施形態では、第１の無線周波数回路１４によってサポートされる通信標準規格および周波数バンドは、ＧＳＭ（Ｂ２／Ｂ３／Ｂ５／Ｂ８）、ＵＴＭＳ（Ｂ１／Ｂ２／Ｂ５）、ＦＤ−ＬＴＥ（Ｂ３／Ｂ７）、ＴＤ−ＬＴＥ（Ｂ３８／Ｂ３９／Ｂ４０／Ｂ４１）、およびＴＤＳ（Ｂ３４／Ｂ３９）であり、第２の無線周波数回路１５も、前述の通信標準規格および周波数バンドをサポートすると仮定される。プリセット周波数は９６１ＭＨｚであると仮定される。第１の無線周波数回路１４によって選択された伝送周波数バンドが、ＧＳＭ（Ｂ５／Ｂ８）およびＵＴＭＳ（Ｂ５）である場合、前述の周波数バンド内の周波数がプリセット周波数９６１ＭＨｚ未満であるので、前述の周波数バンド内の信号は、第２のアンテナ１２を使用して伝送される必要があり、コントローラ１３は、第１の単極双投スイッチ１３３の可動端と第２の非可動端とを接続し、同時に、第２の単極双投スイッチ１３２の可動端と第１の非可動端とを接続する。第１の単極双投スイッチ１３３のスイッチブレードのスイッチング回数をいくらか低減させるために、第１の無線周波数回路１４が第２のアンテナ１２に接続され、かつ第２の無線周波数回路１５が伝送要求を有していないとき、第１の無線周波数回路１４の高周波信号もこの場合、第２のアンテナ１２を使用して伝送されると理解することができる。
【００３９】
本発明の別の実施形態では、制御装置はまた、同じ標準規格の信号の高周波数部分を、第１のアンテナを使用して伝送してよく、同じ標準規格の信号の低周波数部分を、第２のアンテナを使用して伝送してよい。例えば、ＵＭＴＳ通信標準規格の高周波数バンドＢ１内の信号が、第１のアンテナを使用して伝送され、ＵＭＴＳ通信標準規格の低周波数バンドＢ２／Ｂ５内の信号が、第２のアンテナを使用して伝送される。
【００４０】
好ましくは、コントローラ１３は、第１の無線周波数回路１４によって選択された伝送周波数バンド内の周波数がプリセット周波数以上である場合、第１の単極双投スイッチ１３３の可動端と第１の非可動端とを接続することを行うようにさらに構成され、第１の無線周波数回路１４は、第１のアンテナ１１を使用して信号を送信および受信する。
【００４１】
本発明のこの実施形態を実装することによって、制御装置は、第１の無線周波数回路によって選択された伝送周波数バンドを取得し、第１の無線周波数回路によって選択された伝送周波数バンド内の周波数がプリセット周波数未満である場合、第２のアンテナを使用して信号を伝送し、かつ第２の無線周波数回路が伝送を実施しないようにし、無線周波数フロントエンドシステムの第１のアンテナは、高周波数バンド内の信号を伝送することのみを担当し、それにより、第１のアンテナのサイズを効果的に低減させることができ、したがって、デュアルアンテナ端末のアンテナサイズに関する要件が低減される。
【００４２】
本発明の実施形態による無線周波数フロントエンドシステムの概略構造図である、図４を参照されたい。本発明のこの実施形態では、無線周波数フロントエンドシステムは、第１のアンテナ１１と、第２のアンテナ１２と、制御装置１３と、第１の無線周波数回路１４と、第２の無線周波数回路１５と、第１の単極多投スイッチ１６と、第２の単極多投スイッチ１７とを含み、この場合、制御装置は、第１の単極双投スイッチ１３３と、第２の単極双投スイッチ１３２と、コントローラ１３１（図４には図示せず）とを含み、第１の単極多投スイッチ１６は、６つの動作回路を含み、第２の単極多投スイッチ１７は、２つの動作回路を含み（図中には図示せず）、第１の単極多投スイッチ１６は、単極６投スイッチ（ＳＰ６Ｔ）であり、第２の単極多投スイッチ１７は、単極双投スイッチ（ＳＰ２Ｔ）である。
【００４３】
前述の部分間の接続関係は次のようである。第１のアンテナ１１は、第１の単極双投スイッチ１３３の第１の非可動端に接続され、第１の単極双投スイッチ１３３の第２の非可動端は、第２の単極双投スイッチ１３２の第１の非可動端に接続され、第１の単極双投スイッチ１３３の可動端は、第１の単極多投スイッチ１６の可動端に接続され、単極多投スイッチ１６の６つの非可動端はそれぞれ、第１の無線周波数回路１４の６つの動作回路に接続され、第２のアンテナ１２は、第２の単極双投スイッチ１３２の可動端に接続され、第２の単極双投スイッチ１３２の第２の非可動端は、第２の単極多投スイッチ１７の可動端に接続され、第２の単極多投スイッチ１７の２つの非可動端はそれぞれ、第２の無線周波数回路１５の２つの動作回路に接続される。第１の無線周波数回路１４と第１のアンテナ１１との間の伝送経路が経路１であり、第１の無線周波数回路１４と第２のアンテナ１２との間の伝送経路が経路２であり、第２の無線周波数回路１５と第２のアンテナ１２との間の伝送経路が経路３であると明記されている。
【００４４】
本発明のこの実施形態における無線周波数フロントエンドシステムの動作原理は次のようである。第１の無線周波数回路によってサポートされる通信標準規格および周波数バンドは、ＧＳＭ（Ｂ２／Ｂ３／Ｂ５／Ｂ８）、ＵＭＴＳ（Ｂ１／Ｂ２／Ｂ５）、ＦＤ−ＬＴＥ（Ｂ３／Ｂ７）、ＴＤ−ＬＴＥ（Ｂ３８／Ｂ３９／Ｂ４０／Ｂ４１）、およびＴＤＳ（Ｂ３４／Ｂ３９）であり、第２の無線周波数回路１５によってサポートされる通信標準規格および周波数バンドは、ＧＳＭ（Ｂ３／Ｂ８）であると仮定される。周波数割当表に照会することによって、Ｂ５周波数バンドおよびＢ８周波数バンドは、９６０ＭＨｚより下で分配された低周波数バンドであることを取得することができ、プリセット周波数は９６１ＭＨｚに設定される。第１の無線周波数回路１４によって選択された伝送周波数バンドが、ＧＳＭ（Ｂ５／Ｂ８）およびＵＴＭＳ（Ｂ５）である場合、前述の周波数バンド内の周波数がプリセット周波数９６１ＭＨｚ未満であるので、前述の周波数バンド内の信号は、経路２を使用して伝送される必要があり、コントローラ１３は、第１の単極双投スイッチ１３３の可動端と第２の非可動端とを接続し、同時に、第２の単極双投スイッチ１３２の可動端と第１の非可動端とを接続する。
【００４５】
制御装置１３内の第１の単極双投スイッチ１３３のスイッチング回数をいくらか低減させるために、第１の無線周波数回路１４の信号が第２のアンテナ１２を使用して（すなわち経路２を使用して）伝送されるとき、同じ通信標準規格の別の周波数バンド内の信号も、第２のアンテナ１２を使用して（すなわち経路２を使用して）伝送されてもよい。例えば、ＧＳＭ通信標準規格の信号について、以前の時点で第１の無線周波数回路１４内のＧＳＭ（Ｂ５／Ｂ８）信号が経路２を使用して伝送されており、および現在の時点でＢ２／Ｂ３周波数バンド内の信号がＧＳＭ通信標準規格において伝送される必要がある場合、Ｂ２／Ｂ３周波数バンド内の信号も経路２を使用して伝送され、伝送経路を経路２から経路１にスイッチするスイッチングオペレーションを実施するように第１の単極双投スイッチ１３３を制御する必要はない。同様に、Ｂ１／Ｂ２周波数バンド内のＵＭＴＳ信号も、経路２を使用して伝送される。したがって、この実施形態では、第１の無線周波数回路１４によって選択された伝送周波数バンド内の周波数がプリセット周波数９６１ＭＨｚ以上である場合、第１の無線周波数回路１４によってサポートされるＦＤ−ＬＴＥ（Ｂ３／Ｂ７）信号、ＴＤ−ＬＴＥ（Ｂ３８／Ｂ３９／Ｂ４０／Ｂ４１）信号、およびＴＤＳ（Ｂ３４／３９）信号が、経路１を使用して伝送され、第２の無線周波数回路１４によって選択された伝送周波数バンド内の周波数が、プリセット周波数９６１ＭＨｚ未満である場合、第１の無線周波数回路１４によってサポートされるＧＳＭ（Ｂ２／Ｂ３／Ｂ５／Ｂ８）信号およびＵＴＭＳ（Ｂ１／Ｂ２／Ｂ５）信号が、経路２を使用して伝送される。加えて、第１の無線周波数回路１４が、経路１を使用して伝送を実施するとき、第２の無線周波数回路１５によってサポートされるＧＳＭ（Ｂ３／Ｂ８）信号は、経路３を伝送用に選択する。
【００４６】
本発明のこの実施形態を実装することによって、制御装置は、第１の無線周波数回路によって選択された伝送周波数バンドを取得し、第１の無線周波数回路によって選択された伝送周波数バンド内の周波数がプリセット周波数未満である場合、第２のアンテナを使用して信号を伝送し、かつ第２の無線周波数回路が伝送を実施しないようにし、無線周波数フロントエンドシステムの第１のアンテナは、高周波数バンド内の信号を伝送することのみを担当し、それにより、第１のアンテナのサイズを効果的に低減させることができ、したがって、デュアルアンテナ端末のアンテナサイズに関する要件が低減される。
【００４７】
本発明の第１の実施形態による無線周波数フロントエンドシステムにおける信号伝送制御方法の流れ図である、図５を参照されたい。この実施形態では、方法は次のものを含む。
【００４８】
Ｓ１０１。制御装置が、第１の無線周波数回路によって選択された伝送周波数バンドを取得する。
【００４９】
Ｓ１０２。制御装置が、伝送周波数バンド内の周波数がプリセット周波数未満であるかどうかを決定する。はいの場合、Ｓ１０３を実施し、いいえの場合、Ｓ１０４を実施する。
【００５０】
Ｓ１０３。第１の無線周波数回路を第２のアンテナに接続するように制御し、または第２の無線周波数回路と第２のアンテナとの間の開回路状態を維持する。
【００５１】
Ｓ１０４。第１の無線周波数回路を第１のアンテナに接続するように制御する。
【００５２】
はいの場合、第１の無線周波数回路は、第２のアンテナに接続するように制御され、かつ第２の無線周波数回路と第２のアンテナとの間の接続が接続解除されるか、または第２の無線周波数回路と第２のアンテナとの間の開回路状態が維持される。
【００５３】
具体的には、無線周波数フロントエンド回路は、第１のアンテナと、第２のアンテナと、第１の無線周波数回路と、第２の無線周波数回路と、制御装置とを含む。本発明のこの実施形態と装置実施形態１とは、同じ概念に基づいており、本発明のこの実施形態によってもたらされる技術的効果も同じである。詳細については、前述の実施形態の説明を参照されたく、詳細について本明細書では改めて説明されない。
【００５４】
本発明のこの実施形態を実装することによって、制御装置は、第１の無線周波数回路によって選択された伝送周波数バンドを取得し、第１の無線周波数回路によって選択された伝送周波数バンド内の周波数がプリセット周波数未満である場合、第２のアンテナを使用して信号を伝送し、かつ第２の無線周波数回路が伝送を実施しないようにし、無線周波数フロントエンドシステムの第１のアンテナは、高周波数バンド内の信号を伝送することのみを担当し、それにより、第１のアンテナのサイズを効果的に低減させることができ、したがって、デュアルアンテナ端末のアンテナサイズに関する要件が低減される。
【００５５】
本発明の第２の実施形態による無線周波数フロントエンドシステムにおける信号伝送制御方法の概略流れ図である、図６を参照されたい。この実施形態では、方法は次のものを含む。
【００５６】
Ｓ２０１。制御装置が、第１の無線周波数回路によって選択された伝送周波数バンドを取得する。
【００５７】
Ｓ２０２。制御装置内のコントローラが、伝送周波数バンド内の周波数がプリセット周波数未満であるかどうかを決定する。決定の結果がはいの場合、Ｓ２０３を実施し、そうでなければ、Ｓ２０４を実施する。
【００５８】
Ｓ２０３。コントローラが、第１の単極双投スイッチの可動端と第２の非可動端とを接続し、かつ第２の単極双投スイッチの可動端と非可動端とを接続する。
【００５９】
Ｓ２０４。コントローラが、第１の単極双投スイッチの可動端と第１の非可動端とを接続する。
【００６０】
本発明のこの実施形態では、無線周波数フロントエンドシステムは、第１の単極多投スイッチと、第２の単極多投スイッチとをさらに含む。第１の単極多投スイッチの可動端は、制御装置に接続され、第１の単極多投スイッチのｋ個の非可動端はそれぞれ、第１の無線周波数回路のｋ個の動作回路に接続され、ｋ個の動作回路は、第１の無線周波数回路によってサポートされるｉ個の周波数バンドに対応する動作回路であり、ただし、ｉとｋはどちらも正の整数かつｉはｋ以上であり、ｉがｋよりも大きいとき、第１の無線周波数回路によってサポートされる少なくとも２つの周波数バンドは、同じ動作回路に対応している。
【００６１】
第２の単極多投スイッチの可動端は、制御装置に接続され、第２の単極多投スイッチのｍ個の非可動端はそれぞれ、第２の無線周波数回路内のｍ個の動作回路に接続され、ｍ個の動作回路は、第２の無線周波数回路によってサポートされるｎ個の周波数バンドに対応する動作回路であり、ただし、ｍとｎはどちらも正の整数かつｎはｍ以上であり、ｎがｍよりも大きいとき、第２の無線周波数回路によってサポートされる少なくとも２つの周波数バンドは、同じ動作回路に対応している。
【００６２】
制御装置は、第１の単極双投スイッチと、第２の単極双投スイッチと、コントローラとを含み、第１の単極双投スイッチの可動端は、第１の無線周波数回路の動作回路に第１の単極多投スイッチを使用して接続され、第１の単極双投スイッチの第１の非可動端は、第１のアンテナに接続され、第１の単極双投スイッチの第２の非可動端は、第２の単極双投スイッチの第１の非可動端に接続され、第２の単極双投スイッチの可動端は、第２のアンテナに接続され、第２の単極双投スイッチの第２の非可動端は、第２の単極多投スイッチを使用して、第２の無線周波数回路の動作回路に接続される。
【００６３】
本発明のこの実施形態と、装置実施形態２と、装置実施形態３とは、同じ概念に基づいており、本発明のこの実施形態によってもたらされる技術的効果も同じである。詳細については、前述の実施形態の説明を参照されたく、詳細について本明細書では改めて説明されない。
【００６４】
本発明のこの実施形態を実装することによって、制御装置は、第１の無線周波数回路によって選択された伝送周波数バンドを取得し、第１の無線周波数回路によって選択された伝送周波数バンド内の周波数がプリセット周波数未満である場合、第２のアンテナを使用して信号を伝送し、かつ第２の無線周波数回路が伝送を実施しないようにし、無線周波数フロントエンドシステムの第１のアンテナは、高周波数バンド内の信号を伝送することのみを担当し、それにより、第１のアンテナのサイズを効果的に低減させることができ、したがって、デュアルアンテナ端末のアンテナサイズに関する要件が低減される。
【００６５】
当業者なら、実施形態における方法のプロセスの全てまたは一部が、関連のあるハードウェアに命令するコンピュータプログラムによって実装されることを理解されよう。プログラムは、コンピュータ可読記憶媒体内に記憶される。プログラムが実行すると、実施形態における方法のプロセスが実施される。前述の記憶媒体は、磁気ディスク、光ディスク、リードオンリーメモリ（Ｒｅａｄ−Ｏｎｌｙ  Ｍｅｍｏｒｙ、ＲＯＭ）、またはランダムアクセスメモリ（Ｒａｎｄｏｍ  Ａｃｃｅｓｓ  Ｍｅｍｏｒｙ、ＲＡＭ）を含む。
【００６６】
上記で開示されたものは、本発明の単なる例示的な実施形態であり、本発明の保護範囲を限定するように意図されていないことは確かである。当業者なら、前述の実施形態を実装するプロセスの全てまたは一部、および本発明の特許請求の範囲に従って加えられる等価な修正が、本発明の範囲内に含まれることを理解される。
【図１】
0006329273.tif 000002
【図２】
0006329273.tif 000003
【図３】
0006329273.tif 000004
【図４】
0006329273.tif 000005
【図５】
0006329273.tif 000006
【図６】
0006329273.tif 000007